(57)【要約】      （修正有）【課題】アイスコーヒー、アイス紅茶やグラスに注がれた冷たいビール等における水滴の落下等を防止するための容器の吸滴スリーブを提供する。【解決手段】平面部３と凹凸部４が接合され縦列に波形が連なる構造で、吸水性の高い段ボール紙を環筒状に形成し、容器１に嵌合して側壁部と接触による吸露・吸水を計る。さらに、使用対象が飲料用であるから味覚を誘うカラーをつけ、あるいは表面を宣伝媒体スペースとして二次元バーコードや商品画像等を表示する。【選択図】図３
2006027723.tif 000002
【特許請求の範囲】
【請求項１】
円筒形及び逆円錐筒形状の容器に、吸湿性の平面な資材による扇形状のブランクを環筒状に成形し、容器と嵌合して容器外周に発生する湿露や水滴を吸収することを特徴とする吸滴スリーブ。
【請求項２】
縦列に連続する同一深度の波形状の凹凸部と平面部の接合で構成された、吸湿性の紙資材の扇形状のブランクの凹凸を内側に環筒状に成形し、容器に嵌合して湿露や水滴を吸収することを特徴とする請求項１記載の吸滴スリーブ。
【請求項３】
請求項２記載の資材による吸滴スリーブ下辺円弧に、容器底部対応のための底部吸滴部と切込み折り目線を設け環筒状に成形し、容器に嵌合し底部吸滴部を内側に曲げ、側壁及び底部の吸滴わおこなうことを特徴とする請求項１及び２記載の吸滴スリーブ。
【請求項４】
吸滴スリーブ表面部をカラフルにし、宣伝媒体スペースとして二次元バーコードや商品画像等を表示することを特徴とする請求項１及び２・３記載の吸滴スリーブ。
【発明の詳細な説明】
【技術分野】
【０００１】本発明は、飲料のカップ容器に関するものである。
【背景技術】
【０００２】従来から飲料を楽しむときガラス製・樹脂製・紙製の別なく、特に冷たい飲み物のビールやアイスコーヒーなどの飲料容器には、必ずカップに水滴が付着し衣服やテーブルを濡らすことが多いものであるが、対策としてはコップの下に紙製の敷物を置くのみで、これ以外の物は現在見当たらない。
また、水滴は衣服やテーブルを濡らす問題もあるが、さらに別問題を発生させ、特に紙製カップを使用する場合は、紙製カップが水滴の湿潤による軟化が生じ、変形して放漏の恐れが危惧される場合も有る。【０００３】
【特許文献】  本発明に関連するものは不明。
【発明の開示】
【発明が解決しようとする課題】
【０００４】従来のものには、次のような欠点があった。
（イ）従来からコップの下置物は、コースターと呼称される紙製の物が唯一有る。唯一のコースターも本来の意義は、吸水・防水の水の為の物でなくテーブルの保護の為の物で、コースターの名称が付き、  水専用の物は存在し無いものと言える。
（ロ）近来非常に普及増加した紙製カップの使用でも水滴は影響し、紙製カップは当然紙質であり容器内部は防水コーティングされているが、外部は無防水なので水滴は紙質に浸透し、カップ壁は軟弱となり把持の回数で変形し、内容液の溢出も派生する恐れもある。
（ハ）ガラス製や樹脂製であっても水滴の付着は同じで、ガラスや樹脂や紙に便利性から樹脂製の受け器具が有るが、湿露・水滴の回避には繋がらず改良されるところは無く、樹脂製品の現況は汚染問題から消滅が近ずくものとおもはれる。
【課題を解決するための手段】
【０００５】湿露・水滴の問題を解決する為に、容器の外周壁に吸水性の有る資材で、環境非汚染材をシート状にして巻き付け水滴を吸収する。湿露・水滴は容器に冷たい飲料液を満たし特に氷を入れた場合に、空気に含まれた水分が温度差により結露して発生する。結露は時間の経過と共に集結して水滴に変化する。水滴は量の増加とともに重量が増すので下降し、容器の底辺に至り更にテーブルに拡大する。【０００６】従来の物は、容器側壁に発生した結露や水滴に対策する事なく、最終段階の容器底に達した水滴にのみ対応しているので、使用時、容器を把持して持ち上げれば水滴は底からテーブルにでは無く、膝または衣服に落下する。これの解決は底及び底に至る以前に防備すれば良く、側壁部に吸滴シートを設備する。【０００７】吸湿・吸水に吸湿性の資材を用いることが重要で有るが、吸湿性の優れた紙質であれば全て良とはならない。平面状の紙材を使用した場合、吸湿は良好であっても把持の頻度によっては吸湿軟弱により変形または破損の発生が予測される。この問題解決のために縦列に連続する同一深度の凹凸と平板面からなる紙材、即ち一般に言う、片面段ボールを用いるもので、段ボールは緩衝材に使用されているとうり耐久力が有り、更に吸湿及び吸水性に富む粗材で、価格的に大量消費の安価品である。【０００８】本装置が使用される飲料容器はシーズンを問わず使用され、特にチェーン化された飲料店の使用は大量莫大であり宣伝媒体には最良のスペースである。
本発明は、以上の構成からなるものである。
【発明の効果】
【０００９】吸湿・吸水シートを容器に嵌合すれば、容器外周側壁部は当然として底部に至るまで、発生付着する湿露・水滴は、側壁及び底部に接触する、吸水性を持つ凹凸の凸部より吸引され、より広く浸透して凹部に貯えられ充分な貯蔵力を発揮する。
平板面の吸湿材あるいは吸湿紙で有るならば、前述のごとく充分に吸水すれば変形又は崩れが始まるものであるが、縦列する波形凹凸は強靭で変形も崩も発生せず耐久し、機能と体形を保持し併せて紙容器を保護するものである。
【発明を実施するための最良の形態】
【００１０】次に、本発明の実施の形態について、図面を参照しながら説明する。
【実施例１】
【００１１】図１は、本発明の吸滴シート平面図である。
縦列に連続する同一深度の波形状の凹凸と平面の部材が接合して構成された、吸湿性の資材、一般名称、片面段ボールを採用し扇形状のブランクで上長下短の円弧の吸湿・吸水用の吸滴シート２を作り、シートの一端に凹凸を押圧て破壊させた糊代９を設ける。シート下辺円弧に底部対応のための底部吸滴部と切込み折り目線５を設ける。【００１２】吸滴シート２に片面段ボール平板を使用するのは、本案を平面な吸湿紙を採用しても目的は達成できる。吸湿性のある一般的な普通平面紙を使用した場合、吸湿・吸滴後容姿の崩れの恐れが有り、段ボール紙は波形状の凹凸で形状の保持保存力の耐久力が強いので、使用目的により使い分けることができる。【００１３】図２は、吸滴シート２を環筒状に形成した吸滴環筒１０斜視図。
吸滴シート２両端を、糊代９の凹凸を押圧して破壊し、平坦となった域に接着剤を塗布して合着して逆円錐筒状に形成したもので有るが、円筒状の上下同径の容器に環筒状に成形しても良く、平面部３を外側にし凹凸部４を内側にして形成する。凹凸部を内側、即ち容器の外周側壁８と凹凸部４の凸部が接触し、湿露や水滴を吸収する為である。
凹凸部４は通常の紙質より大きな吸湿性を持つ粗材で、反対側の平面部は粗材と異なり印刷を施す為に低級上質紙を使用するが、上質紙は密度が高く吸湿性は低く為に印刷状態は良好に保存される。下端円弧に設置されている底吸滴部６は、折り目線５を境界として内側に折れ曲がる。以上のような構成で成形品が得られる。【００１４】図２の成形品のごとく、上大下小の成形を行えば重合集積ができ、製造工場から使用者・使用者の保管など効率よく運搬できるものである。【００１５】図３は、吸滴環筒１０と容器１嵌合斜視図。
形成された吸滴環筒１０を、逆円錐筒状の樹脂製又は紙製の容器１に嵌合し、底吸滴部６を内部の底部７に向い、折り目線から折り曲げた状態を示したものである。【００１６】図４は、吸滴環筒１０が容器底部に嵌合された仰観正面図である。
切込み折り目線５を境に内部中心に向かって、底吸滴部６が合理的形状で設けられ、底部７に流下する水滴を吸収する。【００１７】図５は、容器と嵌合した吸滴環筒１０の縦断面図。
容器側壁部８に嵌合する吸滴環筒１０上辺の位置は、側壁部８の上下端の中間を標準とし、吸滴を主眼に把持使用位置を考慮する。容器１の上辺は湿露や水滴の発生は少なく、発生は中位以下に多く発生するもので、原因は冷たい飲料液を通常容器の７〜８０％の位置に満たす事が多く、容器側壁の上下温度差が容器容量の７〜８０％を境に下部が低温となるからで、水滴の発生も同調するものである。この水滴発生率に吸滴環筒１０を適合するものであるが、内容液を隠蔽する状態では飲料意欲を阻害するので適切な位置に止めるものとする。【００１８】吸滴シート２は一面が平面であり、飲料容器を包むものであるので味覚の横溢を取入れることが望まれるもので、表面をカラフルに着色し美観を付加するものとする。又飲料販売業の増設されている現今、印刷し易い平面を宣伝媒体スペースに利用し、自主または受注の二次元バーコードや商品画像を掲示することができる。
【図面の簡単な説明】
【００１９】
【図１】  吸滴シートの平面図
【図２】  吸滴シートを環筒状に形成した斜視図
【図３】  吸滴環筒と容器の嵌合斜視図
【図４】  吸滴環筒が容器底部に嵌合された仰観正面図
【図５】  吸滴環筒と容器の嵌合した縦断面図
【符号の説明】
【００２０】  １  容器                ６  底吸滴部
２  吸滴シート          ７  容器の底
３  平面部              ８  容器側壁部
４  凹凸部              ９  糊代
５  切込み折り目線    １０  吸滴環筒
【図１】
2006027723.tif 000003
【図２】
2006027723.tif 000004
【図３】
2006027723.tif 000005
【図４】
2006027723.tif 000006
【図５】
2006027723.tif 000007